(57)【要約】【課題】挿管作業の迅速性と確実性を向上させること。【解決手段】気管内に挿入する挿管チューブ２２に挿通可能な撮像部２３と、口腔内部に挿入して舌を押さえるための喉咽鏡１１と、撮像部２３によって映された映像を表示するためのモニタ１２と、を有する気管内挿管装置１０において、モニタ１２を喉咽鏡１１に一体として取り付ける。【選択図】  図１
2005218644.tif 000002
【特許請求の範囲】
【請求項１】
気管内に挿入する挿管チューブに挿通可能な撮像部と、口腔内部に挿入して舌を押さえるための喉咽鏡と、上記撮像部によって映された映像を表示するための表示部と、を有する気管内挿管装置において、
上記表示部が上記喉咽鏡に一体として取り付けられていることを特徴とする気管内挿管装置。
【請求項２】
前記表示部を有するモニタと前記喉咽鏡が着脱可能となっていることを特徴とする請求項１記載の気管内挿管装置。
【請求項３】
前記表示部が前記喉咽鏡に対して回動可能に取り付けられていることを特徴とする請求項１又は２記載の気管内挿管装置。
【請求項４】
前記撮像部内に、発光体を設け、前記撮像部から照明光を出射させたことを特徴とする請求項１、２又は３記載の気管内挿管装置。
【請求項５】
前記表示部を有するモニタが、そのモニタを取り付ける基体に対して水平方向に回動可能にされていることを特徴とする請求項１から４のいずれか１項に記載された気管内挿管装置。
【請求項６】
前記表示部と前記喉咽鏡との間に、前記表示部と前記喉咽鏡の両方を同時に保持するための把持部が設けられていることを特徴とする請求項１から５のいずれか１項に記載された気管内挿管装置。
【発明の詳細な説明】
【技術分野】
【０００１】
本発明は、挿管チューブを気管内に挿入する気管内挿管装置に関する。
【背景技術】
【０００２】
従来、喉咽部の様子を見るための器具として、喉咽鏡が知られている。かかる喉咽鏡は、舌圧子にランプ等が取り付けられている構成となっている。このような喉咽鏡を用いた場合には、喉咽鏡を口腔内に挿入し、喉咽部の様子を口腔の外から覗く必要があるが、口腔によって視界がさえぎられるため、その視野には限界があった。
【０００３】
この問題を解決するものとして、喉咽部の様子をより広い視野で見ることができ、その様子を映像としてモニタに映し出すことが可能な喉咽鏡装置が特許文献１に示されている。図６に特許文献１記載の喉咽鏡装置１００を示す。
【０００４】
喉咽鏡装置１００は、喉頭展開を行うためのブレード部１０１、手で持つためのハンドル部１０２、ファイバースコープ１０３、ＣＣＤカメラ１０４、モニタ１０５等からなる。ブレード部１０１はハンドル部１０２の上部からＬ字型に突出し、平板部１０６、側板部１０７、管体１０８、基部１０９等からなる。側板部１０７には窓部１１０が開口している。管体１０８は、その先端部のみが窓部１１０から外側に露出し、その後端はブレード部１０１の後端から後方に突出している。ファイバースコープ１０３は管体１０８に挿通され、先端部は管体の先端から露出し、後端部にはＣＣＤカメラ１０４が接続されている。ＣＣＤカメラ１０４にはモニタ１０５が接続され、ＣＣＤカメラ１０４に入力されたファイバースコープ１０３の映像がモニタ１０５に映し出される。
【０００５】
喉咽鏡装置１００においては、ブレード部１０１が従来の喉咽鏡と同様な役割を果たし、ハンドル部１０２を把持しブレード部１０１を口腔内に挿入する。そして、ブレード部１０１に取り付けられているファイバースコープ１０３の先端が捉えた喉咽部の様子を、映像としてモニタ１０５に映し出す。
【０００６】
【特許文献１】特開平９−１４０６７０号公報
【発明の開示】
【発明が解決しようとする課題】
【０００７】
ところで、特許文献１記載の喉咽鏡装置１００では、ブレード部１０１を口腔内に挿入し、ブレード部１０１で舌を押さえる。そして、ブレード部１０１の先端に配置されているファイバースコープ１０３で捉えた映像がファイバースコープ１０３の他端側に備えられたモニタ１０５に映し出される。よってモニタ１０５に映し出された映像を確認しながら、ファイバースコープ１０３の先端の位置を確認でき、その先端を喉頭部内の所定の位置に導くことができる。
【０００８】
しかしながら、この喉咽鏡装置１００を使用して挿管チューブを気管内に挿入する、いわゆる気管内挿管作業（以下、単に挿管作業と記載する）を行おうとすると、次のような問題が発生する。すなわち、モニタ１０５が、ブレ−ド部１０１とは離れた位置に配置されているため、挿管作業を行う者は、モニタ１０５を見る際に、手元から目線を離す必要があり、作業の迅速性と確実性を損なうこととなる。
【０００９】
また、喉咽鏡装置１００では、ファイバースコープ１０３の先端である映像取り込み端が舌圧子と同様の効果を有するブレード部１０１に取り付けられている。そのため、喉咽部付近の様子は捉えられるが、気管の入り口までには距離があり、気管の入り口を撮像範囲に確実に捉えることが難しい。よって、挿管チューブを気管に挿入する作業が迅速に行えないという問題を有している。
【００１０】
本発明は、上記の事情にもとづきなされたもので、その目的とするところは、作業の迅速性と確実性を向上させることができる気管内挿管装置を提供しようとするものである。
【課題を解決するための手段】
【００１１】
上記課題を解決するために、本発明は、気管内に挿入する挿管チューブに挿通可能な撮像部と、口腔内部に挿入して舌を押さえるための喉咽鏡と、撮像部によって映された映像を表示するための表示部と、を有する気管内挿管装置において、表示部が喉咽鏡に一体として取り付けられている。
【００１２】
この発明では、表示部を有するモニタが喉咽鏡に一体として取り付けられているため、挿管作業時、手元から目線を離す必要がなく、常に目線を表示部に置きながら、挿管チューブを気管内に導くことができる。
【００１３】
また、他の発明は、上述の発明に加えて更に、表示部を有するモニタと喉咽鏡が着脱可能となっている。
【００１４】
このように構成した場合には、喉咽鏡など喉頭内に挿入して使用する部材を、表示部から離して消毒することができる。このため、消毒作業がやり易くなる。
【００１５】
さらに、他の発明は、上述の発明に加えて更に、表示部が喉咽鏡に対して回動可能に取り付けられている。
【００１６】
このように構成した場合には、表示部を自在に回動することができるので、操作者が見やすいように、表示部の向きや角度を調整することができる。よって、喉咽鏡の姿勢、又は操作者の位置に関係なく、映像を正確に把握することができる。
【００１７】
さらに、他の発明は、上述の発明に加えて更に、撮像部内に、発光体を設け、撮像部から照明光を出射させたものである。
【００１８】
このように発光体を撮像部内に配置することにより、被撮影部位を確実に照らすことができる。また、照射光量を制御できる構成にすれば、気管内の被撮影部位に適切な照明光を出射することができる。
【００１９】
また、他の発明は、上述の発明に加えて更に、表示部を有するモニタがそのモニタを取り付ける基体に対して水平方向に回動可能にされている。
【００２０】
このように構成した場合には、画面を回動させることによって、撮像部が画面に対して左側に接続されている場合と、右側に接続されている場合とを形成することができ、左利きの人にも右利きの人にも対応することができる。
【００２１】
さらに、他の発明は、上述の各発明に加えて更に、表示部と喉咽鏡との間に、表示部と喉咽鏡の両方を同時に保持するための把持部が設けられている。
【００２２】
このように構成した場合には、把持部を把持したとき、表示部と喉咽鏡の両方を同時に保持する際の把持が容易となる。このため、容易に表示部に映し出された映像の確認と、口腔内への喉咽鏡の挿入をすることができる。また、このような構成により、表示部を見ながら、把持部を把持した一方の手で喉咽鏡を口腔内に挿入し、他方の手で撮像部を気管内に挿管することが可能となる。
【発明の効果】
【００２３】
本発明によると、表示部が喉咽鏡に一体として取り付けられているため、手元から目線を離す必要がなく、常に目線を表示部に置きながら、挿管チューブを気管内に導くことが可能となる。このため、作業の迅速性と確実性を向上させることができる。
【発明を実施するための最良の形態】
【００２４】
以下、本発明の第１の実施の形態に係る気管内挿管装置について、図１から図３に基づいて説明する。図１は気管内挿管装置１０の外観図であり、図２は気管内挿管装置１０の構成部分である喉咽鏡１１の斜視図である。図３は、表示部を有するモニタ１２を示す図であり、（ａ）はその正面図であり、（ｂ）はその背面図である。
【００２５】
図１に示すように、気管内挿管装置１０は、喉咽鏡１１、モニタ１２、グリップ１３、ケーブル部２１、撮像部２３を主な構成要素として構成されている。なお、撮像部２３は、気管内に挿入する挿管チューブ２２に挿通可能とされている。
【００２６】
喉咽鏡１１は、主に、患者の舌を押さえるための部位であり、図１において下部に位置し、その上部には、表示部を有するモニタ１２が、把持部であるグリップ１３を介してグリップ１３の上方に取り付けられている。グリップ１３は、円柱状の形状をしており、喉咽鏡１１とモニタ１２の両方を同時に保持する機能を有している。操作者は、グリップ１３を把持し、喉咽鏡１１を患者の口腔内に挿入することができる。
【００２７】
このように、モニタ１２が、グリップ１３を介して、喉咽鏡１１の上部に一体として取り付けられているため、操作者はモニタ１２を見ながら、喉咽鏡１１を患者の口腔内に挿入することができる。なお、モニタは、喉咽鏡１１の上部ではなく、側方に一体として取り付けても良い。
【００２８】
喉咽鏡１１は、グリップ１３に対して中間部材１４を介してＬ字型に突出する形で取り付けられている。喉咽鏡１１は、図２に示すように、上板１１ｂ、下板１１ｃ、側板１１ｄの３つの板状部材から構成されており、図２における左側面と、下端部１１ｅは開放されている。また、上板１１ｂと下板１１ｃは、曲面状の板状部材である。下端部１１ｅでは、上板１１ｂと下板１１ｃの間に空間部１１ｆを形成している。下端部１１ｂから先端部１１ａに向かうにつれて、上板１１ｂと下板１１ｃの間の空間は小さくなり、先端部１１ａで上板１１ｂと下板１１ｃが合わさる構成となっている。
【００２９】
また、喉咽鏡１１は、中間部材１４により、グリップ１３に対して固定されている。よって、操作者がグリップ１３を把持して喉咽鏡１１を口腔内へ挿入する場合、喉咽鏡１１はグリップ１３に対して位置や向きが変位するということはない。なお、喉咽鏡１１には、ランプやＬＥＤ（Light  Emitting  Diode）のような照明手段が取り付けられていないが、その種の照明手段を取り付けても良い。この場合、照明手段は、上板１１ｂと下板１１ｃとではさまれた空間内に配置するのが好ましい。また、下板１１cの一部に窓を設けたり、下板１１cの一部を透明部材としたり、さらには下板１１c全体を透明部材とすると、照明手段の光が喉の奥のほうまで届き好ましいものとなる。
【００３０】
また、図３に示すように、モニタ１２の下部にはキャップ部１５が設けられており、グリップ１３をキャップ部１５の内部に嵌め込むことで、喉咽鏡１１とモニタ１２は一体として取り付けられる。キャップ部１５の下部には、係止体１６が取り付けられている。この係止体１６は、リング状の部材の一箇所が開放しており、その両端部から２つのフランジ１７ａ、１７ｂが対向して延出しているような構成となっている。
【００３１】
そのフランジ１７ａ、１７ｂの中心には、ネジ１８を挿通するための孔１９ａ、１９ｂが設けられている。そして、このネジ１８を締めることによって、モニタ１２をグリップ１３に対して固定できる。また、ネジ１８を緩めることによって、モニタ１２はグリップ１３から取り外すことができる。すなわち、係止体１６を締めたり緩めたりすることで、モニタ１２がグリップ１３から脱着可能となる。換言すれば、モニタ１２は、喉咽鏡１１から脱着可能となる。
【００３２】
図３に示すように、モニタ１２は、その平面形状は略正方形をしており、表示部１２ａと、基体となる基部１２ｂとから構成されている。表示部１２ａは略中央に画面１２ｃを有している。表示部１２ａは、基部１２ｂの上部を中心として垂直方向に回動自在、すなわち開閉自在に取り付けられている。図３（ａ）に示すように、表示部１２ａを上方に開くことによって画面１２ｃが現れることとなり、画面１２ｃに映し出された映像を見ることが可能となる。また、表示部１２ａの開き角度を調節することによって、画面を操作者の見やすい位置にもってくることができる。
【００３３】
また、図３に示すように、基部１２ｂの側方にはケーブル部２１が接続され、このケーブル部２１の先端には、撮像部２３が取り付けられている。この撮像部２３は断面形状が略円筒形をしていて、その外周径は、挿管チューブ２２の内周径よりも小さく構成されている。そして、撮像部２３からケーブル部２１の略中央部分にかけて該ケーブル部２１が挿管チューブ２２内を挿通できるようになっている。
【００３４】
撮像部２３の内部には、照明手段としての発光体２４が設けられている。発光体２４としては、ＬＥＤが採用されているが、ランプやその他の照明手段を採用しても良い。照明手段からの光は、撮像部２３のレンズユニットを囲むように出射する構成としているが、レンズユニットの一側方から出射するようにしても良い。このように、口腔内に挿入された撮像部２３から照明光が出射され、被撮影部を照明する。そして、その反射光が撮像部２３の内部に入射し、撮像部２３の内部に配置された、レンズユニットを含む撮像ユニットによって電気信号に変換される。そして、その変換された電気信号がケーブル部２１を通ってモニタ１２に伝えられる。変換された電気信号は、モニタ１２で映像に変換され、画面１２ｃにその映像が映し出される。
【００３５】
次に、気管内挿管装置１０を使用しての挿管作業について説明する。まず、挿管チューブ２２を撮像部２３側からケーブル部２１に外挿する。ついで、操作者は一方の手でグリップ１３を把持し、喉咽鏡１１を患者の口腔内に挿入する。そして、舌が喉奥に落ち込まないように、喉咽鏡１１を用いて舌を押さえる。次に、舌を喉咽鏡１１で押さえた状態を保ちながら、挿管チューブ２２が外挿されたケーブル部２１および撮像部２３を、撮像部２３の側から気管に向けて口腔内へ挿入していく。
【００３６】
挿管チューブ２２を気管内に挿入する際においては、挿管チューブ２２の先端がどこにあるか確認する必要がある。挿管チューブ２２の先端には、撮像部２３が臨んでいるため、撮像部２３で捉えられた映像は、挿管チューブ２２の先端部の前方の映像である。また、撮像部２３は、ケーブル部２１を介してモニタ１２に接続されているため、撮像部２３で捉えられた映像は、ケーブル部２１を介してモニタ１２の画面１２ｃに映し出される。そして、操作者は、画面１２ｃを見ながら撮像部２３の先端部を気管内に導く。そして、撮像部２３の先端部が気管内に臨んだ状態で、挿管チューブ２２を気管に向けて押し、挿管チューブ２２を気管内に挿入する。つまり、撮像部２３とケーブル部２１を挿管チューブ２２を気管に導く手段としても機能させている。
【００３７】
挿管チューブ２２が、気管内に確実に挿入された状態で、ケーブル部２１を操作者の側に引っ張り、ケーブル部２１および撮像部２３を挿管チューブ２２から抜き取る。次いで、ケーブル部２１および撮像部２３が抜き取られて中空となった挿管チューブ２２を通して気管内に空気を送り込む作業を行う。なお、ケーブル部２１を可撓性を有しながらも形状を維持できる程度の剛性を有する性状とし、いわゆるスタイレットとしての機能を発揮できるようにすることが好ましい。ケーブル部２１にスタイレットとしての機能を持たせることで、操作者が気管内挿管を行うに当たり、挿管作業を受ける者の気道の形状に沿った形状にケーブル部２１を形成することができるとともに、撮像部２３の進行方向を定めることもできるようになるため、撮像部２３を気管に導く作業が、易くなる。
【００３８】
挿管チューブ２２の挿管作業は、舌が喉奥に落ち込まないように喉咽鏡１１により舌を押さえながら行うが、本実施の形態の気管内挿管装置１０では、撮像部２３で捉えられた映像がモニタ１２の画面１２ｃに映し出されるため、患者の口腔内を覗きながら挿管作業を行う必要がなく、画面１２ｃに映し出された映像を頼りにして、挿管作業を行うことができる。また、本実施の形態の気管内挿管装置１０では、喉咽鏡１１にモニタ１２が一体となって取り付けられているため、目線を常にモニタ１２側に置きながら挿管作業を進めることができる。
【００３９】
以上のように、この気管内挿管装置１０を使用して挿管作業を行うと、作業の迅速性と確実性を向上させることができる。さらに、第１の実施の形態に係る気管内挿管装置１０では、喉咽鏡１１とモニタ１２との間に、喉咽鏡１１とモニタ１２の両方を同時に保持するためのグリップ１３が設けられている。よって、喉咽鏡１１とモニタ１２の両方を同時に保持しやすくなり、容易に、表示部１２ａに映し出された映像の確認と、口腔内への喉咽鏡１１の挿入をすることができる。また、このような構成により、モニタ１２に目線を置きながら、グリップ１３を把持した一方の手で喉咽鏡１１を口腔内に挿入し、他方の手で挿管チューブ２２を気管内に挿管することが可能となる。
【００４０】
また、第１の実施の形態の気管内挿管装置１０では、撮像部２３がケーブル部２１を介してモニタ１２に接続される一方、喉咽鏡１１にはファイバースコープや撮像部２３が配置されない構成となっている。よって、気管の位置を容易に把握でき、一方の手で、喉咽鏡１１により舌を押さえた状態を保ちながら、他方の手で撮像部２３を気管内に容易に挿管することができる。このように、撮像部２３を気管内に容易に導くことができる。
【００４１】
また、第１の実施の形態に係る気管内挿管装置１０では、モニタ１２の下部にはキャップ部１５が設けられており、そのキャップ部１５の下部には係止体１６が取り付けられている。そして、係止体１６を締めたり緩めたりすることで、キャップ部１５がグリップ１３から脱着可能となる。よって、モニタ１２は、喉咽鏡１１から脱着可能であることとなる。一般的に、喉咽鏡１１などの口腔内に挿入するものは使用後、あるいは使用に先立って消毒、滅菌を要するが、モニタ１２が喉咽鏡１１から脱着可能なため、喉咽鏡１１の消毒、滅菌作業がやり易くなる。
【００４２】
また、口腔内に挿入された撮像部２３からは照明光が出射され、被撮影部を照明する。そして、その反射光が撮像部２３の内部に入射し、撮像部２３の内部の撮像ユニットによって電気信号に変換される。なお、撮像部２３の外部に、発光体２４を設け、撮像部２３の近傍から照明光を出射させてもよい。
【００４３】
発光体２４は、この実施の形態では撮像部２３の内部に配置し、しかもＬＥＤとしている。このため、ＬＥＤに制御された電流が流されると、ＬＥＤが発光する。このように、発光体２４を、撮像部２３内に配置することにより所望の被撮影部を適切に照明することができる。また、ＬＥＤのように電流制御しやすい照明手段を採用すると、照明光量の制御も可能となる。よって、気管内の被撮影部に応じて適切かつ十分な照明光を出射することができる。
【００４４】
次に、本発明の第２の実施の形態について、図４に基づいて説明する。なお、本実施の形態においては、気管内挿管装置１０のモニタ部及びモニタ部と把持部の接続方法のみが第１の実施の形態と異なるため、その相違部分のみについて説明する。また、上述の第１の実施の形態で述べたのと同様の部材、構成については、上述の第１の実施の形態と同一の符号を付して説明する。図４は、第２の実施の形態に係る気管内挿管装置４０の外観図である。
【００４５】
図４に示すように、気管内挿管装置４０は、喉咽鏡１１、グリップ１３、ケーブル部２１、撮像部２３、モニタ４１、自在継手４２を主な構成要素として構成されている。
【００４６】
モニタ４１は、第１の実施の形態と同様に、グリップ１３を介して、喉咽鏡１１の上部に一体として取り付けられている。また、図４において、喉咽鏡１１は下部に位置し、その上部には、モニタ４１が、把持部であるグリップ１３を介して取り付けられている。また、喉咽鏡１１は、グリップ１３に対して中間部材１４を介してＬ字型に突出する形で取り付けられている。また、図４において、モニタ４１の左下方にはケーブル部２１が接続されている。ケーブル部２１は、先端部分から中央部分にかけて挿管チューブ２２によって覆われており、その先端には撮像部２３が取り付けられている。
【００４７】
また、気管内挿管装置４０においては、モニタ４１は、グリップ１３に対して、自在継手４２を介して、前後、左右、水平方向、垂直方向のすべてについて回動自在に取り付けられている。よって、モニタ４１の向きや角度を、喉咽鏡１１に対して自在に変化させることができる。また、自在継手４２を囲むように、基体となる筒状部材４３が取り付けられている。筒状部材４３は、キャップ部１５の機能と、自在継手４２の動作を保証する機能とを合わせ持つものである。
【００４８】
筒状部材４３の内側に嵌め込む形で、グリップ１３が取り付けられている。また、第１の実施の形態の場合と同様に、筒状部材４３の下部には、係止体１６が、筒状部材４３の外周を覆うように取り付けられている。そして、係止体１６を締めたり緩めたりすることで、モニタ４１がグリップ１３から脱着可能となる。よって、モニタ４１が喉咽鏡１１から脱着可能であるということがいえる。
【００４９】
モニタ４１は、自在継手４２を介して、グリップ１３の上部に取り付けられており、喉咽鏡１１に対して回動自在となっている。モニタ４１の平面形状は、略正方形となっており、表示部４１ａと背面部４１bとが一体化されている。表示部４１aの略中央に画面４１ｃが取り付けられている。モニタ４１は、自在継手によって向きや角度を自在に変化させることができるので、モニタ４１の向きや角度を調節することによって、画面４１ｃを操作者の見やすい位置にもってくることができる。よって、喉咽鏡１１の姿勢、又は操作者の位置に関係なく、映像を確認することができる。
【００５０】
次に、本発明の第３の実施の形態について、図５に基づいて説明する。なお、本実施の形態においては、気管内挿管装置１０のモニタ部のみが第１の実施の形態と異なるため、その相違部分のみについて説明する。また、上述の第１の実施の形態で述べたのと同様の部材、構成については、上述の第１の実施の形態と同一の符号を付して説明する。図５は、第３の実施の形態に係る気管内挿管装置６０の外観図である。
【００５１】
図５に示すように、気管内挿管装置６０は、喉咽鏡１１、グリップ１３、ケーブル部２１、撮像部２３、モニタ６１、自在継手６２を主な構成要素として構成されている。
【００５２】
モニタ６１は、第１の実施の形態と同様に、グリップ１３を介して、喉咽鏡１１の上部に一体として取り付けられている。また、図５において、喉咽鏡１１は下部に位置し、その上部には、モニタ６１が、把持部であるグリップ１３を介して取り付けられている。また、喉咽鏡１１は、グリップ１３に対して中間部材１４を介してＬ字型に突出する形で取り付けられている。また、図５において、基部６１ｂの左下方にはケーブル部２１が接続されている。ケーブル部２１は、先端部分から中央部分にかけて挿管チューブ２２によって覆われており、その先端には撮像部２３が取り付けられている。
【００５３】
また、気管内挿管装置６０においては、モニタ６１の下部には、キャップ部１５が設けられており、グリップ１３をキャッツプ部１５の内部に嵌め込むことで、喉咽鏡１１とモニタ１２は一体化する。また、第１の実施の形態の場合と同様に、キャップ部１５の下部には係止体１６が取り付けられている。そして、係止体１６を締めたり緩めたりすることで、モニタ６１がグリップ１３から脱着可能となる。
【００５４】
モニタ６１は、表示部６１ａと基部６１ｂとから構成されており、それらの平面形状は、共に略正方形をしている。表示部６１ａの表面には画面６１ｃが取り付けられており、表示部６１ａは、基体となる基部６１ｂの上部に自在継手６２を介して、すべての方向に回動自在に取り付けられている。よって、表示部６１ａは、自在継手によって向きや角度を自在に変化させることができるので、表示部６１ａの向きや角度を調節することによって、画面６１ｃを操作者の見やすい位置にもってくることができる。
【００５５】
また、この気管内挿管装置６０では、図５において、基部６１ｂの左下方にケーブル部２１が接続されており、画面６１ｃを含む表示部６１ａには接続されていない。よって、ケーブル部２１の位置に影響されずに表示部６１aの位置のみを変化させることができる。また、表示部６１ａを１８０度回転させると、ケーブル部２１は画面６１ｃに対して右下方に接続されていることとなる。
【００５６】
図５に示した気管内挿管装置６０を操作する場合、まず、右手でグリップ１３を把持し、喉咽鏡１１を口腔内に挿入し、舌を押さえる。そして、左手で挿管チューブ２２の先端を気管内に挿管することとなる。喉咽鏡１１で舌を押さえる作業に比べて、挿管チューブ２２の先端を気管内に挿管する作業のほうが熟練を要するため、図５に示された状態での気管内挿管装置６０は、左利きの操作者に適応した装置であるということがいえる。なお、右利きの操作者も、図５の状態での気管内挿管装置６０を使用可能であるが、その場合、ケーブル部２１が装置に対し交叉することとなり扱いにくいものとなる。
【００５７】
図５に示した気管内挿管装置６０において、ネジ１８を緩めて基部６１ｂを表示部６１ａとグリップ１３に対して１８０度回転させると、ケーブル部２１が画面６１ｃに対して、右下方に接続されていることとなる。そのため、図５に示される気管内挿管装置６０において、ケーブル部２１が右下方に接続された状態となり、右利きの操作者に適応した状態となる。よって、この気管内挿管装置６０は、表示部６１ａを基部６１ｂの上部に自在継手６２を介して回動自在に取り付けるとともに、基部６１ｂをネジ１８を緩めることでグリップ１３に対して回動可能とすることにより、左利きの操作者と右利きの操作者の両方に適応することが可能となっている。
【００５８】
以上、本発明の各実施の形態について説明したが、本発明はこれ以外にも種々変形可能となっている。以下、それについて述べる。
【００５９】
上述の各実施の形態では、喉咽鏡１１の内部に照明手段を配置していないが、上述したように喉咽鏡１１の内部に照明手段を配置してもよい。喉咽鏡１１の内部に照明手段を配置することにより、撮像部２３から照射される照明光にさらに、喉咽鏡１１からの照明光が加わり、気管内をより明るく照らすことが可能となる。また、喉咽鏡１１に照明手段を配置すると、照明手段が撮像部２３に設置されていない場合であっても、気管付近を照明することができることとなる。
【００６０】
また、上述の各実施の形態では、表示部１２ａ、４１ａ、６１ａを操作者の手で持ち見やすい角度に調節している。しかし、表示部１２ａ、４１ａ、６１ａを手で持たず、その向きや角度を調節できるようにすれば作業がいっそう容易なものとなる。このようにするためには、グリップ１３に、表示部１２ａ、４１ａ、６１ａの向きや角度を変化させることが可能な、遠隔操作ボタンを設けるのが好ましい。
【００６１】
また、上述の各実施の形態では、撮像部２３は照明光を出射して、その照明された被撮影部を、デジタルズーム処理して拡大映像としてモニタ１２，４１、６１に映し出しているが、撮像部２３のレンズ系自体に光学倍率可能なズーム機能を設けてもよい。そうすることにより、撮影した部位の拡大かつ鮮明な映像を画面１２ｃ、４１ｃ、６１ｃで捉えることができるため、被撮影部の細部まで確認することができる。
【００６２】
上述の各実施の形態では、挿管チューブ２２がケーブル部２１等を介して喉咽鏡１１に一時的に接続されているものとしたが、挿管チューブを全く別部材として扱う気管内挿管装置にも本発明を適用できる。また、単に、喉咽部の様子を見るための喉咽鏡装置にも本発明を適用できる。
【図面の簡単な説明】
【００６３】
【図１】本発明の第１の実施の形態に係る気管内挿管装置の外観図である。
【図２】本発明の第１の実施の形態に係る気管内挿管装置における喉咽鏡の斜視図である。
【図３】本発明の第１の実施の形態に係る気管内挿管装置のモニタを示す図であり、（ａ）はその正面図であり、（ｂ）はその背面図である。
【図４】本発明の第２の実施の形態に係る気管内挿管装置の外観図である。
【図５】本発明の第３の実施の形態に係る気管内挿管装置の外観図である。
【図６】従来の喉咽鏡装置を示す図である。
【符号の説明】
【００６４】
１０、４０、６０…気管内挿管装置
１１…喉咽鏡
１２、４１、６１…モニタ
１２ａ、４１ａ、６１ａ…表示部
１２ｂ、６１ｂ…基部（基体）
１２ｃ、４１ｃ、６１ｃ…画面
１３…グリップ
２１…ケーブル部
２２…挿管チューブ
２３…撮像部
２４…発光体
４２、６２…自在継手
【図１】
2005218644.tif 000003
【図２】
2005218644.tif 000004
【図３】
2005218644.tif 000005
【図４】
2005218644.tif 000006
【図５】
2005218644.tif 000007
【図６】
2005218644.tif 000008